(57)【要約】【課題】インターホンと組み合わせることが出来て、外出時にはホームオートメーション或いはセキュリティシステムの何れか一方をセットすれば外出時の設定を行うことが出来る住居用システムの提供。【解決手段】インターホン（１）と組み合わせたセキュリティシステム（Ａ）と、ホームオートメーションシステム（Ｂ）とを有し、両システム（Ａ、Ｂ）は通信プロトコルの変換機能を有するインターフェース装置（２）を介して接続されており、該インターフェース装置（２）は、ホームオートメーションシステム（Ｂ）側の通信プロトコルとセキュリティシステム（Ａ）側の通信プロトコルを相互に変換する機能を有している。  【選択図】図２
2007207058.tif 000002
【特許請求の範囲】
【請求項１】
インターホンと組み合わせたセキュリティシステムと、ホームオートメーションシステムとを有しており、セキュリティシステムとホームオートメーションシステムとはインターフェース装置を介して通信伝達可能に接続されており、該インターフェース装置は、ホームオートメーションシステム側の通信プロトコルとセキュリティシステム側の通信プロトコルを相互に変換する機能を有していることを特徴とする住居用システム。
【請求項２】
ホームオートメーションシステム側に外出用の設定を行うためのスイッチが設けられている請求項１の住居用システム。
【請求項３】
インターホンと組み合わせたセキュリティシステム側の警備状態切換スイッチを入れると、ホームオートメーションシステム側の機器の情報がホームオートメーションシステム側管理施設で監視される様に構成されている請求項１の住居用システム。
【請求項４】
通信機器によりホームオートメーションシステム側管理施設に通信して、ホームオートメーションシステムの機器の状況を把握すると共に、インターホンと組み合わせたセキュリティシステム側を警備状態に切り替える様に構成されている請求項１の住居用システム。
【発明の詳細な説明】
【技術分野】
【０００１】
本発明は、インターホンと組み合わせたセキュリティシステムとしての機能と、ホームオートメーションシステムとしての機能を併せ持つ住居用のシステムに関する。
【背景技術】
【０００２】
来訪者の顔を映し出し、来訪者と会話が出来るインターホンが普及しつつある。近年、係るインターホンにセキュリティシステムを組み合わせることが試みられている。
【０００３】
例えば、家庭用インターホンを防犯スイッチと組み合わせたり、火災の様なトラブルの発生を検知する防災手段と組み合わせたりすることが可能である。
また、例えばマンションのような集合住宅であれば、各住戸のみならず、共用部についても、例えばマンションの入口を監視して来訪者の顔を自動録画したり、駐車場を監視したり、住戸の警報を警備会社に移報することも可能である。
さらに、これ等の機能をインターネット経由で提供することも出来る。
【０００４】
図７は、そのようなインターホンにセキュリティシステムを組み合わせたインターホンシステムの1例を示したブロック図である。
インターホン１には電気錠２２が接続され、インターホン（本体）１の操作で電気錠２２の施錠・開錠が行われる。また、インターホン１には防犯センサ１２が接続され、防犯センサ１２の作動することによって、例えば、盗難が生じつつある場合には、外部機器（接続機器）３によってネットワーク４０経由で、図示しない警備会社等に盗難発生を知らせるように構成されている。
或いは、携帯電話９を使用して、ネットワーク４０経由でインターホンシステムに接続して、例えば外出時に施錠忘れ等をしていないかの確認を行うことが出来る。
【０００５】
この様に、インターホンとセキュリティシステムとを組み合わせれば、家庭内の色々な情報が、インターホンを使って管理出来る。
そのようなセキュリティシステムを組み合わせたインターホンと、温水システムや家電類を総合的に制御できるホームオートメーションシステムとを組み合わせることにより、更に生活の利便性は向上する。
【０００６】
ここで、係るインターホンと組み合わせたセキュリティシステムでは、同一の事業者が最初から共通のプロトコルで構築したシステムの応用とは異なり、異なる事業者が異なるプロトコルで構築したシステムには応用することが出来なかった。
例えば、上述したインターホンと組み合わせたセキュリティシステムでは、熱源機に関連する温水システムや家庭用電気製品等を制御するホームオートメーションシステムの制御や監視に応用することが出来なかった。
【０００７】
そのため、従来のインターホンと組み合わせたセキュリティシステムでは、マンションの部屋から外出する際に必要な設定（セッティング）を行うに際して、インターホンと組み合わせたセキュリティシステムにおける側の設定（セッティング）と、ホームオートメーションシステム側で必要な設定（セッティング）とを、別個に行わなければならなかった。
外出時において、インターホンと組み合わせたセキュリティシステム側と、ホームオートメーションシステム側との双方について、外出時の設定を行うことは、ユーザーに対して、大変、煩雑な印象をあたえている。特に、外出先の予定時刻まで猶予が無い場合等、いわゆる「急いでいる」場合には、係る煩雑な印象は非常に強く、ユーザーに不快感を与えてしまうこともある。
【０００８】
その他の従来技術としては、例えば、テレビドアホンの機能を変更すること無く、外部の各種機器と接続して、監視機能を向上し、且つ、ネットワーク接続を可能ならしめるテレビドアホンシステムが提供されている（特許文献１参照）。
しかし、係る従来技術においても、異なる事業者が異なるプロトコルで構築したシステムには適用することが困難であり、例えばホームオートメーションシステムに組み合わせることは出来ないので、上述した問題を解決し得ない。
【０００９】
また、異常の検出場所の状況を把握する警備システム（例えば、特許文献２参照）や、有人時の警備に加え、ユーザーによる警備セット／解除操作を不要とするセキュリティシステム（例えば、特許文献３参照）、或いは、留守家屋における空気浄化宅内機器監視制御システム（例えば、特許文献４参照）等が提案されている。
【００１０】
しかし、異常の検出場所の状況を把握する警備システム（特許文献２参照）や、ユーザーによる警備セット／解除操作を不要とするセキュリティシステム（特許文献３参照）は、警備会社の設備及び警備方法に関するものであって、個人住宅のホームオートメーションとは何ら関係がない。
留守家屋における空気浄化宅内機器監視制御システム（特許文献４）は、ホームオートメーションの一部（空気浄化のみ）ではあっても、多くの家電製品や、照明、或いは、暖房機器や給湯機器等、日常生活に密接に関係する設備の監視をするものではない。勿論、住居のセキュリティに関しては何ら言及していない。
【特許文献１】特開２００４−２３６０８３号公報
【特許文献２】特開２００５−２８４８６１号公報
【特許文献３】特開２００５−２９２９４２号公報
【特許文献４】特開平５−１３７１７８号公報
【発明の開示】
【発明が解決しようとする課題】
【００１１】
本発明は上述した従来技術の問題点に鑑みて提案されたものであり、インターホンと組み合わせることが出来て、外出時にはホームオートメーション或いはセキュリティシステムの何れか一方をセットすれば外出時の設定を行うことが出来る住居用システムの提供を目的としている。
【課題を解決するための手段】
【００１２】
発明者等は種々研究の結果、インターホンと組み合わされたセキュリティシステムと、ホームオートメーションシステムとを有する住居において、外出時の設定を別個に実行しなければならないのは、通信プロトコルが異なることが原因であることに着目した。
【００１３】
本発明の住居用システムは、（防災用機器１１及び／又は防犯用機器１２を備えており）インターホン（１）と組み合わせたセキュリティシステム（Ａ）と、ホームオートメーションシステム（Ｂ）とを有しており、セキュリティシステム（Ａ）とホームオートメーションシステム（Ｂ）とはインターフェース装置（インターホンユニット２）を介して通信伝達可能に接続されており、該インターフェース装置（インターホンユニット２）は、ホームオートメーションシステム（Ｂ）側の通信プロトコルとセキュリティシステム（Ａ）側の通信プロトコルを相互に変換する機能を有していることを特徴としている（請求項１）。
【００１４】
本明細書において、「インターホン（１）と組み合わせたセキュリティシステム」とは、ユーザーがインターホンから設定できるセキュリティシステムを意味している。そしてセキュリティシステムは、「侵入」、「火災」等の危険を想定した警戒装置を住居内に設置して、警戒装置が異常を検知した際に各種回線を通じてセキュリティ側管理センターに通知され、緊急対処要員が駆けつけるという仕組みを、基本的にしている。
また、本明細書において、「ホームオートメーションシステム」なる文言は、家庭用電気製品その他の電気器具や、温水・給湯システム等で代表される家庭用機器を主として制御するシステムである趣旨で用いられている。ここで、「ホームオートメーションシステム」（ＨＡ）は、防犯やガス漏れをチェックしたり、各種回線や情報ネットワークを利用して空調設備や熱源機等を操作する住居用システムであり、照明等の各種電気製品を集中制御方式にて管理したり、外部から携帯電話等を用いて制御することが出来る。
【００１５】
本発明の住居用システムにおいて、ホームオートメーションシステム（Ｂ）側に外出用の設定（ホームオートメーションシステム側の機器のＯＦＦ、セキュリティシステムの防災用機器及び防犯用機器のＯＮ等）を行うためのスイッチ（外出セッティング用スイッチ）（３Ｓ、３１Ｓ）が設けられているのが好ましい（請求項２）。
【００１６】
ここで、外出用の設定がされた際には、ホームオートメーションシステム（Ｂ）側の機器を、全て電源をＯＦＦにすることが出来る。
或いは、居住者が外出時には電源をＯＦＦにすることが望ましい機器と、居住者が外出時であっても電源をＯＮにしておくことが望ましい機器とを選り分けて、外出用の設定がされた際には、外出時には電源をＯＦＦにすることが望ましい機器の電源をＯＦＦにすることが出来る。
この場合、外出時には電源をＯＦＦにすることが望ましい機器と、居住者が外出時であっても電源をＯＮにしておくことが望ましい機器とを、予め選り分けても良い。或いは、外出時に、その都度、電源をＯＦＦにすることが望ましい機器を選定して、電源をＯＦＦにすることも出来る。
【００１７】
また本発明の住居用システムにおいて、インターホン（１）と組み合わせたセキュリティシステム（Ａ）側の警備状態切換スイッチ（１ｂ）を入れると、ホームオートメーションシステム（Ｂ）側の機器の情報が（インターネット４０を経由して）ホームオートメーションシステム側管理施設（ホームオートメーションシステム側管理センター５０）で監視される様に構成されているのが好ましい（請求項３）。
さらに本発明の住居用システムにおいて、通信機器（例えば、携帯電話９、その他、インターネット４０にアクセス可能な装置を包含）により（インターネット４０経由で）ホームオートメーションシステム側管理施設（５０）に通信（アクセス）して、ホームオートメーションシステム（Ｂ）の機器の状況を把握すると共に、インターホン（１）と組み合わせたセキュリティシステム（Ａ）側を警備状態に切り替える様に構成されているのが好ましい（請求項４）。
【発明の効果】
【００１８】
上述する構成を具備する本発明によれば、インターネット（４０）を経由してホームオートメーションシステム側管理センター（５０）にアクセスすることにより、ホームオートメーションシステム（Ｂ）を構成する家電製品や温水システム（Ｃ；７、３１、３２）の作動状態を監視することが出来る。そして、外出時においては、住居内の空調機器（２４）や照明（２８）の消し忘れ、鍵（電気錠２２）の閉め忘れ等を確認して、空調機器（２４）や照明（２８）のＯＦＦ、鍵（電気錠２２）の施錠を行うことが出来る。
また、ＩＰユニット（３）、インターホンユニット（２）を介して、ホームオートメーションシステム（Ｂ）側から、インターホン（１）と組み合わせたセキュリティシステム（Ａ）のセットをすることが出来る。
【００１９】
その結果、複数の操作を行うことなく、単一の操作のみによって、ホームオートメーションシステム（Ｂ）及びインターホン（１）と組み合わせたセキュリティシステム（Ａ）を、外出時の設定に切り替える事が可能となる。
【発明を実施するための最良の形態】
【００２０】
以下、添付図面を参照して、本発明の実施形態について説明する。
先ず、図１〜図５に基づいて、本発明の第１実施形態について説明する。ここで、図１は、第１実施形態の構成の概要を示したブロック図である。
【００２１】
図1において、全体を符号１００で示す住宅用システムは、セキュリティシステムＡと、ホームオートメーションシステムＢとから、概略、構成されている。
セキュリティシステムＡは、インターホン（本体）１を中核ユニットとして、防災スイッチ１１と防犯スイッチ１２と水漏れセンサ１５とを有し、防災機能及び防犯機能を備えている。
【００２２】
このセキュリティシステムＡは、来訪者を映像（画像）で確認し、更にその映像（画像）を記憶する来訪者確認機能１８を備え、住人が帰宅したことを別の箇所に通知する帰宅通知機能１９ａや、宅配があったことを別の箇所に通知する宅配通知機能１９ｂをも有しており、宅内において漏水があることを検知する機能を備えている。
セキュリティシステムＡには、非常ボタン１ａが設けられており、有事においては、非常ボタン１ａを操作する（押す）ことにより、警報を発するように構成されている。
【００２３】
ホームオートメーションシステムＢは、温水システムＣと、電気製品（家電類）と、ネットアダプタ６、ＩＰユニット３とから構成されている。
ここで、温水システムＣは、各部屋の床暖房３１と、風呂（台所への給湯設備も含む）３３と、浴室暖房３４等（温水端末）と、その床暖房３１、風呂３３、浴室暖房３４等に温水を供給する熱源機７とから構成されている。そして、図１において、電気製品（家電類）としては、空調機器（エアコン）２４、照明２８、鍵（電気錠）２２が示されている。
電気錠２については、セキュリティシステムＡ側で管理することも可能である。しかし、図示の実施形態においては、セキュリティシステムＡ側とホームオートメーションシステムＢ側の何れにおいても管理可能な機器（例えば電気錠２）は、ホームオートメーションシステムＢ側で優先的に管理する様に構成されている。勿論、セキュリティシステムＡ側で管理する様に構成することも可能である。
【００２４】
ホームオートメーションシステムＢは、温水システムＣや電気製品（家電類）等における各種機器の動作状況を、ＩＰユニット３を介して、ネットワーク４０に接続されたサーバ（ホームオートメーションシステム側管理センター）５０で自動的に確認可能するように構成されている。
ネットワーク４０は、双方向に通信を授受する機能を備えた情報ネットワークであれば、例えば、インターネットや、ＬＡＮ等、どの様なネットワークであっても適用することが出来る。図示の実施形態においては、ネットワーク４０としては、インターネットを用いている。
【００２５】
熱源機７と、電気製品（電気錠２３、空調機器２４、照明２８等）とは、ネットアダプタ６に接続されている。
図２を参照して後述する様に、温水システムＣの制御系の通信プロトコルと、電気製品の制御系の通信プロトコルとは異なっているが、ネットアダプタ６には接続可能に構成されている。
【００２６】
前記ネットアダプタ６は、ＩＰユニット３に接続され、そのＩＰユニット３は更にインターホンユニット２を介して前記セキュリティシステムＡのインターホン１に接続されている。ＩＰユニット３は、前述したように、ネットワーク４０を介してホームオートメーションシステム側管理センター５０に接続されている。
【００２７】
図２を参照して後述する様に、インターホン１、即ちセキュリティＡ側の通信プロトコル（インターホン１からインターホンユニット２の間の通信プロトコルを含む）は、（ホームオートメーションシステムＢ側における）ＩＰユニット３とインターホンユニット２とを接続している通信プロトコルとは、その方式が異なっている。
インターホンユニット２は、異なる通信プロトコルを互いに変換し合って、双方からの通信を伝達可能に構成されている。
【００２８】
図１で示すシステムでは、住居内の風呂、床暖房等の温水システムＣや、空調機器２４、照明２８、（電気）錠２２等の家電類の動作状況を自動的に確認すると共に、インターホン１と組み合わせたセキュリティシステム（警備システム）Ａの利用が可能となっている。
図１の住居システム１００では、例えば携帯電話９の様な持ち運んで移動可能な通信手段（いわゆる「モバイル」）によりネットワーク４０にアクセスし、ネットワーク４０を介してセキュリティシステムＡ、或いは、ホームオートメーションシステムＢを操作可能に構成されている。
【００２９】
図２は、第１実施形態をさらに詳細に示すである。
図２においても、インターホン１は、インターホン本体のみならず、インターホンと組み合わせたセキュリティシステムＡをも含めた構成要素として表現されている。
【００３０】
インターホン１には、防災スイッチ１１や、防犯用のスイッチ１２が組込まれている。ここで、防犯用のスイッチ１２は、不審者の住居への侵入を警告する防犯用の機器（例えば、前記防犯センサ１２及び図示しない非常ブザー）を包括的に示しており、防災スイッチ１１は、その他の災害を未然に防止するための防災用機器を包括的に示している。
防災スイッチ１１には、例えば、家屋に地震などによる大きな外力が作用したり、その外力作用によって家屋の特定箇所が損壊したりすることを検知する機能や、或いは、家屋に災害が降りかかった場合に、当該防災スイッチ１１を押すことで、地域の防災センター等に連絡出来る機能、その他が組み込まれている。
【００３１】
また、インターホン１には、図２では「バスコール」と表示されている機器１３や、図２では「トイレコール」と表示されている機器１４が組込まれている。「バスコール」１３は、浴室で気分が悪くなった際に、その旨を所轄の部署、例えば救急センターに伝える機能を有している。「トイレコール」１４は、トイレで気持ちが悪くなった際に、その旨を、例えば救急センターに伝える機能を有している。
【００３２】
図２において、インターホン１は、上水道からの水漏れを検知する機器（図２では「水漏れ」と表示）１５や、ガスの漏出を検出する機器（図２では「ガス漏れ」と表示）１６、火災報知器（図２では「火災」と表示）１７が組み込まれた状態で示されている。
図２では明確には図示されていないが、インターホン１と組み合わせたセキュリティシステムＡには、訪問者を録画する機器１８がもうけられている（図１において「来訪者確認」、符号１８で表示）。
【００３３】
インターホン１において、上述した何れの機能も、通信回線（図２では矢印Ｌｓで示す）によって、常時、セキュリティ側管理センター１０で制御或いは監視されている。
なお、インターホン１に組み合わせる機能や機器については、図示に限定されるものではない。
【００３４】
インターホン１には、警備状態切り替えスイッチ（以下、「警備スイッチ」と記載）１ｂが組込まれている。
図４を参照して後述する様に、この警備スイッチ１ｂを入れると、ホームオートメーションシステム側の機器の情報がインターネット４０を経由して、ホーム管理センター５０で監視されるように構成されている。
【００３５】
ホームオートメーションシステムＢ側のＩＰユニット３は、ホームオートメーションシステムＢを提供する側（ホームオートメーションの開発・施工を担当する業者）の定めた仕様の通信プロトコルを用いているラインＬＢが、例えば４本接続可能に構成されている。
図２では、４本のラインＬＢの内、３本が使用されている。すなわちＩＰユニット３は、上述した通り、インターホンユニット２、ネットアダプタ６、ガスメータ５に、ラインＬＢを介して接続されている。
【００３６】
ホームオートメーションシステムＢ側（図２ではＩＰユニット３）と、インターホン１及びそれと組み合わせたセキュリティシステムＡ側とを、情報或いは信号について接続可能にせしめているのが、インターホンユニット２である。
【００３７】
インターホンユニット２とインターホン１と組み合わせたセキュリティシステムＡ側とは、セキュリティシステムＡの提供者（例えば、セキュリティを担当する警備会社）側が定めた仕様或いは通信プロトコルにより、情報或いは通信をラインＬＡで接続している。
一方、ＩＰユニット３とインターホンユニット２とは、ホームオートメーションシステムＢの提供側が定めた仕様或いは通信プロトコルにより、ラインＬＢを介して、信号或いは情報の通信を行う様に構成されている。
【００３８】
インターホンユニット２は、ラインＬＢを介して行われるＩＰユニット３とインターホンユニット２の通信プロトコル（ホームオートメーションシステムＢの提供側が定めた仕様）と、ラインＬＡを介して行われるインターホンユニット２とインターホン１に組み合わせたセキュリティシステムＡとの通信プロトコル（インターホン１或いはセキュリティシステムＡの提供者の定めた仕様）とを、双方向にプロトコル変換して、双方向通信を可能ならしめる機能を有する様に構成されている。
【００３９】
ホームオートメーションシステムＢ側において、ネットアダプタ６とＩＰユニット３との間、及び、ＩＰユニット３とガスメータ５との間についても、前記と同様のラインＬＢによって接続されている。
ＩＰユニット３はＨＵＢ４に接続されており、以って、ホームオートメーションシステムＢ側をインターネット４０に接続している。
【００４０】
ホームオートメーションシステム側管理センター５０より、インターネット４０を介してＩＰユニット３に入力された情報或いは指示は、ホームオートメーションシステムＢの提供側が定めた仕様の通信により伝達される。
ここで、インターホンユニット２を介在させることにより、ホームオートメーションシステム側管理センター５０からの情報或いは指示は、セキュリティシステムＡの提供者の定めた仕様にプロトコル変換されて、インターホン１（或いは、インターホン１と組み合わせたセキュリティシステムＡ）側に伝達することが出来る。
【００４１】
一方、インターホン１或いはそれと組み合わせたセキュリティシステムＡ側では、防犯、防災に関する機器への情報或いは指示の通信は、インターホン１或いはセキュリティシステムＡの提供者の定めた仕様で行われる。しかし、インターホンユニット２を介在させたことにより、セキュリティシステムＡ側の情報或いは指示を、ホームオートメーションシステムＢの提供側が定めた仕様にプロトコル変換して、例えば、外出時のセッティングの必要性を意味する情報或いは信号として、ホームオートメーションシステムＢ側で有効に利用することが可能である。
【００４２】
ホームオートメーションシステムＢ側において、ネットアダプタ６は、ホームオートメーションシステムＢに係る各種機器（温水システムＣ、家電類（電気錠コントローラ２１、空調機２４、照明ユニット２６、その他）を、ＩＰユニット３と情報的に接続するのに用いられるアダプタである。
ネットアダプタ６に接続されている機器の内、家電関係の機器（図２では、電気錠コントローラ２１、空調機２４）については、ホームオートメーションシステムＢのＪＥＭ―Ａ規格に適合するＩＦＵにより接続されている。ＪＥＭ−Ａの接続ラインは、図２及び図６において、符号ＬＣで示されている。
【００４３】
図２におけるホームオートメーションシステムＢにおいて、電気錠コントローラ２１は、住居における図示しない扉の電気錠（本体）２２を施錠、開錠する制御を行っている。
照明ユニット２６は、住居における各種照明２８や３路スイッチ２７に接続されており、照明のＯＮ−ＯＦＦや照度等を制御している。
電気錠コントローラ２１及び照明ユニット２６とネットアダプタ６とは、ＪＥＭ−Ａ規格のラインＬＣで接続されている。
【００４４】
上述した様に、図示の実施形態では、ホームオートメーションシステムＢは家電類の制御のみならず、温水システムＣも制御している。
ホームオートメーションシステムＢのネットアダプタ６は、温水システムＣにおける熱源機７にも接続している。ここで、ネットアダプタ６と熱源機７とは、熱源機製造者（熱源機メーカー）が定めた独自の規格に沿って、ラインＬＤで通信を行っている。
【００４５】
図２において、熱源機７には床暖房コントローラ３１と台所に配置されたリモートコントロール装置（台所リモコン）３２とが接続されている。ここで、熱源機７と床暖房コントローラ３１とは、燃料業界（例えばガス業界）の標準規格に沿って、ラインＬＧによって通信を行っている。
【００４６】
台所リモコン３２及びＩＰユニット３は、外出セッティング用スイッチ３２Ｓ、３Ｓが設けてある。外出セッティング用スイッチ３２Ｓ、３Ｓの機能については後述する。
なお、外出セッティング用スイッチ３２Ｓ、３Ｓは、何れか一方のみを設ける様に構成しても良い。換言すれば、外出セッティング用スイッチは、台所リモコン３２とＩＰユニット３の何れか一方のみに設けることが可能である。
【００４７】
セキュリティシステムＡ側において、インターホン１と組み合わせたセキュリティシステムＡの防災用機器（スイッチ）１１や防犯用機器（スイッチ）１２が異常を検知した場合、例えば、外出時に第三者が侵入した旨を検出した場合や、出火を検知した場合等には、ラインＬｓを介してセキュリティ側管理センター１０に異常を検知した旨を発信して、セキュリティ側管理センター１０で必要な処置を行う様に構成されている。
【００４８】
一方、ホームオートメーションシステムＢ側については、インターネット４０を経由してホームオートメーションシステム側管理センター５０にアクセスすることにより、ホームオートメーションシステムＢを構成する家電製品や温水システムＣの作動状態を監視することが出来る。そして、外出時においては、携帯電話９を使用して、インターネット経由で住居内の空調機器２４や照明２８の消し忘れ、鍵（電気錠）２２の閉め忘れ等を確認して、空調機器２４や照明２８のＯＦＦ、鍵（電気錠）２２の施錠を行うことが出来る。
後述する様に、ＩＰユニット３、インターホンユニット２を介して、ホームオートメーションシステムＢ側から、インターホン１と組み合わせたセキュリティシステムＡのセットをすることが出来る。
【００４９】
図３は、図２で示すシステム１００において、ホームオートメーションシステムＢ側の外出セッティング用スイッチ３２Ｓ、３Ｓの何れかを操作する（ＯＮとする）ことにより、外出時のセッティングを可能とする手順を示すフローチャートである。
【００５０】
図３のフローチャートに基づいて、外出時のセッティング手順を説明する。
先ずステップＳ１では、外出セッティングスイッチ３Ｓ、３２Ｓの何れかがＯＮとなったか否かを判定する。外出セッティングスイッチ３Ｓ、３２Ｓの何れかがＯＮとなるまで、ステップＳ１がＮＯのループを繰り返す（待機）。
ここで、ステップＳ２以下の手順は、後述するステップＳ５以下の手順とパラレルに進行する。換言すれば、外出セッティングスイッチ３Ｓ、３２Ｓの何れかがＯＮとなった旨の情報（ステップＳ１がＹＥＳである旨の情報）は、セキュリティシステムＡ側とホームオートメーションシステムＢ側とへ同時に伝達されるのである。
【００５１】
先ず、ステップＳ２以下の手順、すなわちセキュリティシステムＡ側の手順を説明する。
何れかの外出セッティングスイッチ３Ｓ、３２ＳがＯＮとなったならば（ステップＳ１のＹＥＳ）、インターホン１側（ステップＳ２の側のルート）は、インターホンユニット２を介して、外出セッティングスイッチ３Ｓ、３２ＳがＯＮとなった旨、すなわち外出する旨を、インターホン１と組み合わせたセキュリティシステムＡ側へ通信する（ステップＳ２）。
【００５２】
次に、インターホン１とセキュリティシステムＡ側を外出時の設定に切り替える（ステップＳ３）。即ち、防犯、防災、訪問者の録画等、ユーザーが外出している際におけるセキュリティとして必要な設定が行われる。そして、セキュリティシステムＡ側を外出時の設定に切り替える処理が完了するのを待って（ステップＳ４がＮＯのループ）、制御を終了する。
【００５３】
ステップＳ５以降の手順、すなわちホームオートメーションシステムＢ側（ステップＳ５の側のルート）の手順については、何れかの外出セッティングスイッチ３Ｓ、３２ＳがＯＮとなったならば（ステップＳ１のＹＥＳ）、ホームオートメーションシステムＢ側を外出時の設定に切り替える（ステップＳ５）。
そして、ホームオートメーションシステムＢ側の切り替えが完了するのを待って（ステップＳ６がＮＯのループ）、制御を終了する。
【００５４】
ホームオートメーションシステムＢ側の機器を外出時の設定に切り替える旨の手順は、詳細には、例えば、外出セッティング用ＳＷをＯＮにした際に、その旨がインターネット４０経由でホームオートメーションシステム側管理センター５０に送られる。ホームオートメーションシステム側管理センター５０は、インターネット４０経由でホームオートメーションシステムＢ側の各機器に対して、外出の際に必要な態様に切り替える旨の指令を送信する。これにより、ホームオートメーションシステムＢ側の各機器は、外出時の態様に切り替えられる。
【００５５】
ホームオートメーションシステムＢ側の機器における外出時の機能としては、例えば、外出セッティング用ＳＷをＯＮにした際に、ホームオートメーションシステムＢ側の全ての機器をＯＦＦ状態にせしめることが出来る。
或いは、ホームオートメーションシステムＢ側の機器について、外出時にＯＦＦ状態にするべき機器と、外出時でもＯＮ状態を継続するべき機器とを選り分け、外出セッティング用ＳＷがＯＮとなった際に、ＯＦＦ状態にするべき機器のみをＯＦＦ状態にすることも可能である。
【００５６】
外出時にＯＦＦ状態にするべき機器と、外出時でもＯＮ状態を継続するべき機器とを選り分ける場合において、ＯＦＦ状態にするべき機器とＯＮ状態にするべき機器との「選り分け」は、外出時以前に、例えば住居にシステム１００を導入する際に予め行うことが出来る。或いは、外出の度に、外出時でもＯＮ状態を継続するべき機器とを選り分ける様に構成しても良い。
【００５７】
図４は、図２で示すシステム１００において、インターホン１と組み合わせたセキュリティシステムＡ側の警備スイッチ１ｂを操作してＯＮ状態にする（警備スイッチ１ｂを押す）ことのみで、外出のセッティングが行われる制御の手順を示している。
【００５８】
図４において、ステップＳ１１では、セキュリティシステムＡ側に設けられた警備スイッチ１ｂがＯＮ状態になったか否かを判定する。
警備スイッチ１ｂがＯＮ状態になれば（ステップＳ１１がＹＥＳ）、その旨がセキュリティシステムＡ側とホームオートメーションシステムＢ側とに、パラレルに伝達される。
すなわち、後述するステップＳ１２以降の手順と、ステップＳ１８以降の手順とは、パラレルに実行されるのである。
【００５９】
ステップＳ１２では、インターホンユニット２を介して、警備スイッチ１ｂがＯＮとなった旨が、ホームオートメーションシステムＢ側へ通信される。
次のステップＳ１３では、ホームオートメーションシステムＢ側における機器の情報（ＯＮ−ＯＦＦ信号、負荷、その他）を、ＨＵＢ４、インターネット４０経由でホームオートメーションシステム側管理センター５０へ伝達する。
【００６０】
ホームオートメーションシステム側管理センター５０では、インターネット４０経由で伝達されたホームオートメーションシステム側機器の情報に基いて、外出のセッティングに必要な指示或いは情報を決定する。そして、ホームオートメーションシステム側管理センター５０から、外出時の態様に切り替えるための制御情報（外出のセッティングに必要な指示或いは情報）を出力する（ステップＳ１４）。
【００６１】
制御情報、即ち、外出のセッティングに必要な指示或いは情報は、インターネット４０、ＨＵＢ４経由で、ホームオートメーションシステムＢ側へ送られる（ステップＳ１５）。
そして、ホームオートメーションシステムＢ側の機器は、ホームオートメーションシステム側管理センター５０から伝達された情報に従って、外出用のセッティングへの切り替えを行う（ステップＳ１６）。
【００６２】
ステップＳ１７では切り替えが完了したか否かを判定する。外出用のセッティングへの切り替えが完了するまでは、ステップＳ１６を繰り返す（ステップＳ１７がＮＯのループ）。そして、切り替えが完了（ステップＳ１７がＹＥＳ）した時点で、制御を終了する。
【００６３】
ステップＳ１８以下の手順においては、図３の場合と同様に、セキュリティシステムＡ側は、ユーザーが外出している際におけるセキュリティとして必要な設定、例えば、防犯、防災、訪問者の録画等の設定が行われる（外出時の機能に切り替える）。
そして、ステップＳ１９では外出時の機能への切り替えが完了したか否かを判定する。外出時の機能への切り替えが完了しない場合にはステップＳ１８を繰り返し（ステップＳ１９がＮＯのループ）、外出時の機能への切り替えが完了すれば（ステップＳ１９がＹＥＳ）制御を終了する。
【００６４】
ホームオートメーションシステムＢ側を外出時のセッティングに切り替えるステップＳ１６において、例えば、外出セッティング用スイッチ３Ｓ、又は３２ＳをＯＮにした際に、ホームオートメーションシステムＢ側の全ての機器をＯＦＦ状態にせしめることが出来る。
【００６５】
或いは、ホームオートメーションシステムＢ側の機器について、外出時にＯＦＦ状態にするべき機器と、外出時でもＯＮ状態にするべき機器とを選り分け、外出セッティング用ＳＷがＯＮとなった際に、外出時にＯＦＦ状態にするべき機器のみをＯＦＦ状態にすることも出来る。
【００６６】
外出時にＯＦＦ状態にするべき機器と外出時でもＯＮ状態にするべき機器とを選り分ける場合において、ＯＦＦ状態にするべき機器とＯＮ状態にするべき機器との「選り分け」は、予め、例えばシステム１００の導入時等に行っても良いし、外出の度に、ＯＦＦ状態にするべき機器とＯＮ状態にするべき機器とを選り分けても良い。
【００６７】
図５は、携帯電話７を用い、インターネット４０経由でホームオートメーションシステム側管理センター５０にアクセスすることにより、外出のセッティングを行う手順を示すフローチャートである。
【００６８】
図５において、ステップＳ２１では、ユーザーの携帯電話７よりインターネット４０経由で外出時の機能に切り替える旨の指示があるか否かを判定する。その様な指示が無い場合（ステップＳ２１がＮＯのループ）は、待機状態である。
外出時の機能に切り替える旨の指示があれば、（ステップＳ２１がＹＥＳ）、ホームオートメーションシステム側管理センター５０では外出のセッティングに必要な指示或いは情報を決定し、インターネット４０経由で、ホームオートメーションシステムＢに対して、外出時のセッティングに切り替える旨の制御情報を出力する（ステップＳ２２）。
【００６９】
インターネット４０、ＨＵＢ４、ＩＰユニット３経由で、ホームオートメーションシステムＢ側へ送られた外出のセッティングに必要な指示或いは情報に従って、ホームオートメーションシステムＢの機器は外出用のセッティング或いは外出時の態様に切り替えられる（ステップＳ２３）。
ステップＳ２４では切り替えが完了したか否かを判定し、切り替えが完了すれば（ステップＳ２４のＹＥＳ）ホームオートメーションシステムＢ側のセッティングは終了する。
【００７０】
一方、外出のセッティングに切り替える旨の情報は、ホームオートメーションシステム側管理センター５０から、インターネット４０、ＨＵＢ４を介して、ＩＰユニット３及びインターホンユニット２経由でインターホン１及びそれと組み合わせたセキュリティシステムＡ側に送られる（ステップＳ２５）。そして、セキュリティシステムＡ側で、防犯、警備のためのセッティング（外出時に必要な機能の実行）が行われ、インターホン１を含むセキュリティシステムＡ側を外出時の態様に切り替える（ステップＳ２６）。
【００７１】
そして、ステップＳ２７ではセキュリティシステムＡ側が外出時の態様に切り替えられたか否かが判定され、外出時の態様への切り替えが完了したならば（ステップＳ２７のＹＥＳ）、図５の手順は終了する。
【００７２】
図３、図４の場合と同様に、ホームオートメーションシステムＢ側については、外出時のセッティングとしては、例えば、外出セッティング用ＳＷ（３Ｓ又は３２Ｓ）をＯＮにした際に、ホームオートメーションシステムＢ側の全ての機器をＯＦＦ状態にせしめることが出来る。
【００７３】
或いは、ホームオートメーションシステムＢ側の機器について、外出時にＯＦＦ状態にするべき機器と、外出時でもＯＮ状態にするべき機器とを選り分け、外出セッティング用ＳＷがＯＮとなった際に、ＯＦＦ状態にするべき機器のみをＯＦＦ状態にすることも出来る。
【００７４】
そして、外出時にＯＦＦ状態にするべき機器と外出時でもＯＮ状態にするべき機器とを選り分ける場合において、ＯＦＦ状態にするべき機器とＯＮ状態にするべき機器との「選り分け」は、予め（例えば、システム１００の導入時等に）行っても良いし、外出の度に係る「選り分け」を行っても良い。
【００７５】
図１〜図５で示す第１実施形態では、例えば、住居（マンションの部屋等）から外出する際に必要な設定（セッティング）が、単一のスイッチ或いは携帯電話７等を用いて行うことが出来る。すなわち、外出する際において、セキュリティシステムＡ側のセットと、ホームオートメーションシステムＢ側のセットとを別々に行う必要が無く、外出時における準備（セッティング等）の煩わしさが解消される。
【００７６】
図１〜図５で示す第１実施形態では、ホームオートメーションシステム側の管理センター５０がいわゆる「ベース」となっているが、インターホン１と組み合わせたセキュリティシステムＡ側をベースにすることも可能である。
図６の第２実施形態（住居システム全体を符号１０１で示す）は、インターホン１と組み合わせたセキュリティシステム側の管理センター５０をベースとしている。
【００７７】
図６に示す第２実施形態においても、ホームオートメーションシステムＢ側の家電類或いは温水システムＣ等の情報は、インターネット（図６では図示せず）を経由して、ホームオートメーションシステム側管理センター５０に発信され、ホームオートメーションシステム側管理センター５０で適宜、判定或いは処理して、（家電類或いは温水システムＣ等の制御に）必要な情報が返信される。
【００７８】
第２実施形態の住居システム１０１によれば、携帯電話９でインターネット４０経由でセキュリティ側管理センター１０にアクセスすることが出来る。そして、セキュリティ側管理センター１０から外出時に必要なセッティングを行う旨の情報或いは指令がセキュリティシステムＡ側に（インターネット４０経由で）伝達されると、セキュリティシステムＡ側では必要な機能の切り替えが行われる。それと共に、外出時に必要なセッティングを行う旨の情報或いは指令は、インターホンユニット２及びＩＰユニット３を介して、ホームオートメーションシステムＢ側に伝達される。
【００７９】
その結果、第２実施形態の住居システム１０１によれば、携帯電話９でセキュリティ側管理センター１０にアクセスすれば、ホームオートメーションシステムＢ側における外出時のセッティングが実行されるのである。
そして、この第２実施形態においても、インターホン１と組み合わせたセキュリティシステムＡ側とホームオートメーションシステムＢ側とを、別個に、外出用のセッティングを行う必要が無い。
その他の構成及び作用効果については、図６の第２実施形態は、図１〜図５の第１実施形態と同様である。
【００８０】
図示の実施形態はあくまでも例示であり、本発明の技術的範囲を限定するものではないことを付記する。
【図面の簡単な説明】
【００８１】
【図１】本発明の第１実施形態の全体構成の概略を示すブロック図。
【図２】第１実施形態の構成において情報伝達及び通信について詳細に示したブロック図。
【図３】外出セッティングスイッチをＯＮとすることにより外出時のセッティングを可能とする場合の手順を示したフローチャート。
【図４】警備スイッチをＯＮとすることにより外出時のセッティングを行う場合の手順を示したフローチャート。
【図５】携帯電話から外出時のセッティングを行う場合の手順を示したフローチャート。
【図６】本発明の第２実施形態の全体構成を示すブロック図。
【図７】従来のインターホンシステムの一例を示すブロック図。
【符号の説明】
【００８２】
１・・・インターホン
２・・・インターホンユニット
３・・・ＩＰユニット
４・・・ＨＵＢ
５・・・ガスメータ
６・・・ネットアダプタ
７・・・熱源機
９・・・携帯電話
１０・・・セキュリティシステム側管理センター
１１・・・防災スイッチ
１２・・・防犯スイッチ
１３・・・バスコール
１４・・・トイレコール
１５・・・コンパレータ
２２・・・電気錠
２４・・・空調機
２８・・・照明
３１・・・床暖房コントローラ
３２・・・台所リモートコントローラ
４０・・・インターネット
５０・・・ホームオートメーションシステム側管理センター
【図１】
2007207058.tif 000003
【図２】
2007207058.tif 000004
【図３】
2007207058.tif 000005
【図４】
2007207058.tif 000006
【図５】
2007207058.tif 000007
【図６】
2007207058.tif 000008
【図７】
2007207058.tif 000009